(57)【特許請求の範囲】
【請求項１】
バスバーと、
前記バスバーがその厚さ方向と直交する方向に挿入され且つ収容されるスリット状収容部を有する合成樹脂製のハウジングと、
を備え、
前記スリット状収容部が前記ハウジングの外周壁部の内面に、互いに対向するように一体成形された複数のガイド突条部の先端面間によって形成され、
前記スリット状収容部が前記外周壁部の端部の端面で開口し、そして
当該スリット状収容部の開口が前記バスバーを前記スリット状収容部に挿入するための入口となる、
電気接続部品であって、
前記外周壁部が前記スリット状収容部を狭めるように前記バスバーの厚さ方向に湾曲状に内反りする虞がある場合に、前記外周壁部の片方または両方の外面から突出し且つ前記スリット状収容部の開口の長手方向に沿って延長するように前記外周壁部の端部に一体成形された第１内反り防止突条部を更に備えたことを特徴とする電気接続部品。
【請求項２】
前記第１内反り防止突条部が前記外周壁部の端部の端面と面一となる面を有することを特徴とする請求項１に記載した電気接続部品。
【請求項３】
前記第１内反り防止突条部が形成された前記外周壁部の外面に一体成形された少なくとも一つの第２内反り防止突条部を更に備え、
前記少なくとも一つの第２内反り防止突条部が、前記バスバーを前記スリット状収容部に挿入する方向と平行な方向に延長し、且つ前記第１内反り防止突条部に接続することを特徴とする請求項１または請求項２に記載した電気接続部品。
【発明の詳細な説明】
【技術分野】
【０００１】
本発明は、例えばヒュージブルリンクに電気接続するヒュージブルリンク・ブロック等といった電気接続部品に係り、より詳細には、ヒュージブルリンク等といった電気部品の端子と電気接続するバスバーを挿入するためのスリット状収容部（即ち、細長穴状収容部）を合成樹脂製のハウジングに備えた電気接続部品に関する。
【背景技術】
【０００２】
この種の電気接続部品には、バスバーと、該バスバーがその厚さ方向と直交する方向に挿入され且つ収容されるスリット状収容部を有するハウジングと、を備え、スリット状収容部がハウジングの外周壁部の内面によって少なくとも部分的に形成され、スリット状収容部が外周壁部の端部の端面で開口し、そして当該スリット状収容部の開口がバスバーをスリット状収容部に挿入するための入口となる電気接続部品がある（例えば、特許文献１参照）。
【０００３】
このような電気接続部品のハウジングは、合成樹脂を射出成形等することにより形成される。このハウジングの樹脂成形においては、上述の外周壁部がスリット状収容部を狭めるようにバスバーの厚さ方向に湾曲状に内反りすることを防止するのに十分配慮する必要がある。なぜならば、スリット状収容部は狭い空間であるため、外周壁部の僅かな内反りであっても、バスバー挿入の妨げとなるからである。
【０００４】
そこで、外周壁部の外面に外周壁部の内反りを防止するための構造を設けると良いのだが、そうすることでハウジング成形用の金型の構造が複雑化し、金型製作にかかるコストの上昇を招いてしまう。
【０００５】
具体的に、上述のハウジング成形用の金型には、ハウジングの外周壁部の端部側に配置されて樹脂硬化後にスリット状収容部の開口へのバスバーの挿入方向と反対方向に該開口から抜かれる部分を有する上金型と、電気部品とバスバーとを電気接続するための他の開口が設けられたハウジングの外周壁部の他の端部側に配置されて樹脂硬化後に当該他の開口からスリット状収容部へのバスバーの挿入方向に抜かれる部分を有する下金型と、外周壁部の外面に外周壁部の内反りを防止するための構造を成形するために上金型と下金型との間にスライド自在に配置されるスライド金型と、が含まれる。スライド金型を設けることは、金型製作にかかるコストの上昇を招いてしまうため、できるだけ避けるべきである。
【０００６】
【特許文献１】特開２００１−８３３２号公報
【発明の開示】
【発明が解決しようとする課題】
【０００７】
本発明は、上述した事情に鑑みてなされたものであり、その目的は、ハウジングの外周壁部がスリット状収容部の開口側を狭めるようにバスバーの厚さ方向に内反りすることを効果的に防止できる構造を備え、しかも当該構造の成形にスライド金型を用いる必要のない電気接続部品を提供することにある。
【課題を解決するための手段】
【０００８】
前述した目的を達成するため、本発明に係る電気接続部品は、下記（１）〜（３）を特徴としている。
（１）  バスバーと、
前記バスバーがその厚さ方向と直交する方向に挿入され且つ収容されるスリット状収容部を有する合成樹脂製のハウジングと、
を備え、
前記スリット状収容部が前記ハウジングの外周壁部の内面に、互いに対向するように一体成形された複数のガイド突条部の先端面間によって形成され、
前記スリット状収容部が前記外周壁部の端部の端面で開口し、そして
当該スリット状収容部の開口が前記バスバーを前記スリット状収容部に挿入するための入口となる、
電気接続部品であって、
前記外周壁部が前記スリット状収容部を狭めるように前記バスバーの厚さ方向に湾曲状に内反りする虞がある場合に、前記外周壁部の片方または両方の外面から突出し且つ前記スリット状収容部の開口の長手方向に沿って延長するように前記外周壁部の端部に一体成形された第１内反り防止突条部を更に備えたこと。
（２）  上記（１）の構成の電気接続部品において、
前記第１内反り防止突条部が前記外周壁部の端部の端面と面一となる面を有すること。
（３）  上記（１）または（２）の構成の電気接続部品において、
前記第１内反り防止突条部が形成された前記外周壁部の外面に一体成形された少なくとも一つの第２内反り防止突条部を更に備え、
前記少なくとも一つの第２内反り防止突条部が、前記バスバーを前記スリット状収容部に挿入する方向と平行な方向に延長し、且つ前記第１内反り防止突条部に接続すること。
【０００９】
上記（１）の構成の電気接続部品によれば、外周壁部の外面から突出し且つスリット状収容部の開口の長手方向に沿って延長するように外周壁部の端部に一体成形された第１内反り防止突条部を更に備えているので、外周壁部がスリット状収容部の開口およびその付近を狭めるようにバスバーの厚さ方向に湾曲状に内反りすることを防止することができ、よってスリット状収容部へのバスバーのスムーズな挿入を実現できる。その上、上記（１）の構成の電気接続部品は、第１内反り防止突条部がハウジングの外周壁部の端部の外面上に形成された形態を採るので、ハウジングを成形する金型として、外周壁部の外面に第１内反り防止突条部を成形するためのスライド金型を含んだものを用いる必要がない。従って、上記（１）の構成の電気接続部品によれば、ハウジングの外周壁部の端部側に配置されて樹脂硬化後にスリット状収容部の開口へのバスバーの挿入方向と反対方向に該開口から抜かれる部分を有する第１金型と、この第１金型と対向して配置されて（即ち、前述の外周壁部の端部とは反対側に位置する他の端部側に配置されて）樹脂硬化後にスリット状収容部へのバスバーの挿入方向にハウジングから抜かれる部分を有する第２金型と、からなる金型で、該ハウジングを成形することができる。
上記（２）の構成の電気接続部品では、第１内反り防止突条部が外周壁部の端部の端面と面一となる面を有する、換言すれば、第１内反り防止突条部が外周壁部の端部の端面を部分的に形成している。従って、上記（２）の構成の電気接続部品によれば、外周壁部がスリット状収容部の開口およびその付近を狭めるようにバスバーの厚さ方向に湾曲状に内反りすることを効果的に防止することができ、更に、上述の第１金型の構造をよりシンプルにすることができる。
上記（３）の構成の電気接続部品によれば、バスバーをスリット状収容部に挿入する方向と平行な方向に延長する少なくとも一つの第２内反り防止突条部が、第１内反り防止突条部に接続するようにハウジングの外周壁部の外面に一体成形されているので、第１内反り防止突条部の延長方向と交差する方向の外周壁部の湾曲状の内反りを効果的に防止することができる。その上、上記（３）の構成の電気接続部品では、第２内反り防止突条部がバスバーをスリット状収容部に挿入する方向と平行な方向に延長するので、第２内反り防止突条部が第１内反り防止突条部から一方向にのみ延長する場合は上述の第２金型に第２内反り防止突条部を成形する溝を設け、第２内反り防止突条部がスリット状収容部へのバスバーの挿入方向と反対方向にも延長する場合は上述の第１金型に第２内反り防止突条部を成形する溝を設ければよいため、ハウジングを成形する金型として、スライド金型を用いずに、外周壁部の補強を行なえる。
【発明の効果】
【００１０】
本発明によれば、ハウジングの外周壁部がスリット状収容部の開口側を狭めるようにバスバーの厚さ方向に内反りすることを効果的に防止できる構造を備え、しかも当該構造の成形にスライド金型を用いる必要のない電気接続部品を提供することができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係る好適な実施形態を図１〜図４（ｂ）を参照しながら詳細に説明する。図１は本発明に係る電気接続部品の一実施形態とそれに電気接続される電気部品との斜視図、図２は図１の電気接続部品の一端部に形成された開口およびその周辺を主に説明するための斜視図、図３は図１および図２に示される電気接続部品のハウジングを成形する金型の一例におけるハウジングの一端部を成形するための要部を主に示す断面図、図４（ａ）は図１の鎖線で描かれた楕円ＩＶ（ａ）内のハウジングの端面の部分を拡大して示す平面図、そして図４（ｂ）は第１内反り防止突条部を設けなかった場合を説明するための参考例を図４（ａ）に示される部位に対応させて対比的に示す平面図である。
【００１３】
図１に示されるように、本発明の一実施形態である電気接続部品１０は、電気部品であるブレード型ヒューズ（ヒュージブルリンク）５０に電気接続するヒュージブルリンク・ブロックであり、電気接続箱（不図示）に収容されるタイプのものである。この電気接続部品１０は、図１および図２に示されるように、バスバー２０と、バスバー２０がその厚さ方向と直交する方向に挿入され且つ収容されるスリット状収容部３５を有する合成樹脂製のハウジング３０と、を備える。
【００１４】
スリット状収容部３５は、ハウジング３０の外周壁部３１の内面３２によって部分的に形成される。このスリット状収容部３５は、外周壁部３１の一端部３３（換言すれば、ハウジング３０の一端部３３）の端面３４で開口する。そのスリット状収容部３５の開口３６は、バスバー２０をスリット状収容部３５に挿入するための入口となる。ハウジング３０の外周壁部３１の内面３２には、バスバー２０をスリット状収容部３５の開口３６に挿入する方向（挿入方向Ａ：図１参照）に、開口３６側から外周壁部３１の一端部３３とは反対側に位置する他端部側へ延長する複数のガイド突条部４２が互いに対向するように一体成形されている。複数のガイド突条部４２は、それらの先端面でスリット状収容部３５を形成する。
【００１５】
電気接続部品１０は、更に、ハウジング３０の外周壁部３１の外面３７から突出し且つスリット状収容部３５の開口３６の長手方向に沿って延長するように外周壁部３１の一端部３３に一体成形された第１内反り防止突条部３８を一つ備えている。この第１内反り防止突条部３８は、外周壁部３１の一端部３３の端面３４と面一となる面を有する。
【００１６】
また、電気接続部品１０は、第１内反り防止突条部３８が形成された外周壁部３１の外面３７に一体成形された複数の第２内反り防止突条部３９を更に備える。この第２内反り防止突条部３９は、バスバー２０をスリット状収容部３５に挿入する方向（挿入方向Ａ）と平行な方向に延長し、且つ第１内反り防止突条部３８に接続する（即ち、一体に形成されている）。
【００１７】
尚、電気接続部品１０のハウジング３０には、ブレード型ヒューズ５０のブレード型端子５１と、バスバー２０ならびに他の電気端子とを電気接続するための他の開口が、ハウジング３０の外周壁部３１の一端部３３とは反対側に位置する他端部の端面に複数形成されている。また、この外周壁部３１の他端部内に位置するバスバー２０の端部にはブレード型ヒューズ５０の片方のブレード型端子５１を受ける溝状の端子接触部がそれぞれ形成されている。そして、各ブレード型ヒューズ５０は、その片方のブレード型端子５１が、バスバー２０をスリット状収容部３５に挿入する方向（挿入方向Ａ）とは反対の方向Ｂに、外周壁部３１の他端部の開口を介して、バスバー２０の溝状の端子接触部内に挿入され、電気的に接続される。また、各ブレード型ヒューズ５０のもう片方のブレード型端子５１は、ハウジング３０の他端部側の外面を部分的に形成する収容部４１内に配置された電気端子と開口を介して電気的に接続する。
【００１８】
ハウジング３０の外周壁部３１の外面３７には係合部４０が三つ形成されており、これらの係合部４０は電気接続部品１０が電気接続箱（不図示）に収容される際に電気接続箱の係止部（不図示）と係合し、これにより電気接続部品１０が電気接続箱（不図示）内に固定される。
【００１９】
このような電気接続部品１０のハウジング３０は、合成樹脂を射出成形等することにより形成される。このハウジング３０の樹脂成形においては、既に上述したように、外周壁部３１がスリット状収容部３５を狭めるようにバスバー２０の厚さ方向に湾曲状に内反りすることを防止するのに十分配慮する必要がある。そこで、電気接続部品１０では、外周壁部３１の外面３７に、外周壁部３１の内反りを効果的に防止するための第１内反り防止突条部３８および該第１内反り防止突条部３８に直交する第２内反り防止突条部３９が設けられている。
【００２０】
また、ハウジング３０は二つの金型で成形可能なようにデザインされている。即ち、当該ハウジング３０を成形するための二つの金型の間には、スライド自在に配置されるスライド金型を設ける必要がなく、金型製作にかかるコストを低減することができる。ハウジング３０を成形するための金型の一例の要部が図３に示される。具体的に、この金型は、ハウジング３０の外周壁部３１の一端部３３側に配置されて樹脂硬化後にスリット状収容部３５へのバスバー２０の挿入方向Ａと反対方向Ｃに開口３６から抜かれる部分を有する第１金型としての上金型６０と、ブレード型ヒューズ５０とバスバー２０とを電気接続するための他の開口が設けられたハウジング３０の外周壁部３１の他端部側に配置されて樹脂硬化後に当該他の開口からスリット状収容部３５へのバスバー２０の挿入方向Ａと同じ方向Ｄに抜かれる部分を有する第２金型としての下金型７０と、からなる。
【００２１】
以上、説明したように、電気接続部品１０では、外周壁部３１の外面３７から突出し且つスリット状収容部３５の開口３６の長手方向に沿って延長するように外周壁部３１の一端部３３に一体成形された第１内反り防止突条部３８を一つ更に備えている。更に、第１内反り防止突条部３８は外周壁部３１の一端部３３の端面３４と面一となる面を有する、換言すれば、第１内反り防止突条部３８が外周壁部３１の一端部３３の端面３４を部分的に形成している。従って、外周壁部３１がスリット状収容部３５の開口３６およびその付近を狭めるようにバスバー２０の厚さ方向に湾曲状に内反りすることを効果的に防止することができ｛図４（ａ）参照｝、よってスリット状収容部３５へのバスバー２０のスムーズな挿入を実現できる。
【００２２】
また、電気接続部品１０によれば、バスバー２０をスリット状収容部３５に挿入する方向（挿入方向Ａ）と平行な方向に延長する複数の第２内反り防止突条部３９が、第１内反り防止突条部３８に接続するようにハウジング３０の外周壁部３１の外面３７に一体成形されているので、第１内反り防止突条部３８の延長方向と交差する方向の外周壁部３１の湾曲状の内反りを効果的に防止することができる。
【００２３】
但し、図４（ｂ）に参考例として示されるように、ハウジング３０に第１内反り防止突条部３８が設けられていない形態の電気接続部品では、スリット状収容部３５がハウジング３０の外周壁部３１の内面３２によって形成されることで、ハウジング３０に複数の第２内反り防止突条部３９が設けられていても、ハウジング３０の樹脂成形において、外周壁部３１がスリット状収容部３５の開口３６およびその付近を狭めるようにバスバー２０の厚さ方向に湾曲状に内反りすることを効果的に防止することができない可能性がある。従って、第１内反り防止突条部３８だけがハウジング３０に形成されている形態あるいは第１内反り防止突条部３８および第２内反り防止突条部３９の両方がハウジング３０に形成されている形態が好ましい。
【００２４】
さて、上述したとおり、電気接続部品１０は、第１内反り防止突条部３８がハウジング３０の外周壁部３１の一端部３３の外面３７上に形成された形態を採るので、ハウジング３０を成形する金型として、外周壁部３１の外面３７に第１内反り防止突条部３８を成形するためのスライド金型を含んだものを用いる必要がない。従って、電気接続部品１０によれば、ハウジング３０の外周壁部３１の一端部３３側に配置されて樹脂硬化後にスリット状収容部３５へのバスバー２０の挿入方向Ａと反対方向Ｃに開口３６から抜かれる部分を有する第１金型と、この第１金型と対向して配置されて（即ち、前述の外周壁部３１の一端部３３とは反対側に位置する他端部側に配置されて）樹脂硬化後にスリット状収容部３５へのバスバー２０の挿入方向Ａにハウジング３０から抜かれる部分を有する第２金型と、からなる金型で、ハウジング３０を成形することができる。
【００２５】
その上、電気接続部品１０では、第２内反り防止突条部３９がバスバー２０をスリット状収容部３５に挿入する方向（挿入方向Ａ）と平行な方向に延長する。従って、電気接続部品１０によれば、第２内反り防止突条部３９が第１内反り防止突条部３８から一方向にのみ延長するため、上述の第２金型に第２内反り防止突条部３９を成形する溝を設ければよく、ハウジング３０を成形する金型として、スライド金型を用いずに、外周壁部３１の補強を行なえる。更に、第１内反り防止突条部３８が外周壁部３１の一端部３３の端面３４と面一となる面を有するので、上述の第１金型の構造をよりシンプルにすることができる。
【００２６】
尚、本発明は、前述した実施形態に限定されるものではなく、適宜、変形、改良、等が可能である。その他、前述した実施形態における各構成要素の材質、形状、形態、数、配置箇所、等は本発明を達成できるものであれば任意であり、限定されない。
【００２７】
尚、本発明の電気接続部品は、ハウジングの外周壁部の内面によってスリット状収容部が全体的に形成される形態を採るものであってもよい。
【００２８】
また、第２内反り防止突条部は少なくとも一つハウジングに形成されていれば所望の効果を奏するが、複数形成されている方がより好ましい。
【００２９】
また、第１内反り防止突条部は、外周壁部の一端部の端面に対して面一でなく、段差状に形成されるものであってもよい。このように第１内反り防止突条部が外周壁部の一端部の端面に対して段差状に形成された形態において、第２内反り防止突条部が、第１内反り防止突条部から一方向にのみ延長するだけでなくスリット状収容部へのバスバーの挿入方向と反対方向にも延長する（即ち、外周壁部の一端部の端面に向けて延長する）場合は、上述の第１金型に第２内反り防止突条部を成形する溝を設ければよいため、ハウジングを成形する金型として、スライド金型を用いずに、外周壁部の補強を行なえる。
【００３０】
本発明の電気接続部品は、ハウジングの外周壁部がスリット状収容部の開口側を狭めるようにバスバーの厚さ方向に内反りすることを効果的に防止できる構造を備え、しかも当該構造の成形にスライド金型を用いる必要のないので、例えばヒュージブルリンクに電気接続するヒュージブルリンク・ブロック等に有用である。
【図面の簡単な説明】
【００３１】
【図１】本発明に係る電気接続部品の一実施形態とそれに電気接続される電気部品との斜視図である。
【図２】図１の電気接続部品の一端部に形成された開口およびその周辺を主に説明するための斜視図である。
【図３】図１および図２に示される電気接続部品のハウジングを成形する金型の一例におけるハウジングの一端部を成形するための要部を主に示す断面図である。
【図４】（ａ）は図１の鎖線で描かれた楕円ＩＶ（ａ）内のハウジングの端面の部分を拡大して示す平面図、そして（ｂ）は第１内反り防止突条部を設けなかった場合を説明するための参考例を図４（ａ）に示される部位に対応させて対比的に示す平面図である。
【符号の説明】
【００３２】
１０：電気接続部品
２０：バスバー
３０：ハウジング
３１：外周壁部
３２：外周壁部の内面
３３：外周壁部の一端部
３４：端面
３５：スリット状収容部
３６：開口
３７：外周壁部の外面
３８：第１内反り防止突条部
３９：第２内反り防止突条部
【図１】
0004606375.tif 000002
【図２】
0004606375.tif 000003
【図３】
0004606375.tif 000004
【図４】
0004606375.tif 000005